【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）とのローカルインターネットプロトコルアクセス（ＬＩＰＡ）パケットデータネットワーク（ＰＤＮ）接続を管理する方法であって、前記方法は、
回線交換フォールバック（ＣＳＦＢ）操作を実行し、前記ＷＴＲＵとの通信に対し、前記ＬＩＰＡ  ＰＤＮ接続から非ＬＩＰＡ  ＰＤＮ接続に切り替えるステップと、
前記ＣＳＦＢ操作に応答して、前記ＬＩＰＡ  ＰＤＮ接続を一時停止するステップと、
前記ＣＳＦＢ操作が終了したことを示すインジケータに応答して、前記ＷＴＲＵを、前記ＬＩＰＡ  ＰＤＮ接続に関連付けられたネットワークに戻してリダイレクトするステップと
を備えたことを特徴とする方法。
【請求項２】
前記ＬＩＰＡ  ＰＤＮ接続の前記一時停止するステップは、前記ＣＳＦＢ操作の起動中は前記ＬＩＰＡ  ＰＤＮ接続に関連付けられた１つまたは複数のＬＩＰＡベアラーを無効化しないが、前記１つまたは複数のＬＩＰＡベアラーを一時停止するステップを含み、前記方法は
前記ＣＳＦＢ操作が終了した後、前記１つまたは複数のＬＩＰＡベアラーを再開し、パケット交換（ＰＳ）サービスに対する前記ＬＩＰＡ  ＰＤＮ接続の再開を有効にするステップ
をさらに備えたことを特徴とする請求項１に記載の方法。
【請求項３】
前記ＬＩＰＡ  ＰＤＮ接続の一時停止中に前記１つまたは複数のＬＩＰＡベアラーを介して送られたデータをバッファリングするステップをさらに備えたことを特徴とする請求項２に記載の方法。
【請求項４】
前記ＣＳＦＢ操作の前記実行するステップは、前記ＷＴＲＵを、前記ＬＩＰＡ  ＰＤＮ接続に関連付けられた第１のセルから、サービングセルとして非ＬＩＰＡ  ＰＤＮ接続に関連付けられた第２のセルにリダイレクトするステップを含むことを特徴とする請求項１に記載の方法。
【請求項５】
前記ＣＳＦＢ操作の前記実行するステップは、前記ＷＴＲＵをリダイレクトし、アイドルモード再選択を実行するステップを含むことを特徴とする請求項４に記載の方法。
【請求項６】
前記ＬＩＰＡ  ＰＤＮ接続の前記一時停止するステップは、
前記ＷＴＲＵとの任意のＰＤＮ接続が、判定結果として、非ＬＩＰＡ  ＰＤＮ接続であるかどうかを判定するステップと、
前記判定結果に基づいて、前記ＬＩＰＡ  ＰＤＮ接続の無効化を防止するステップと
を含むことを特徴とする請求項１に記載の方法。
【請求項７】
前記一時停止したＬＩＰＡ  ＰＤＮ接続を、所定期間後に無効化または再開するステップをさらに備えたことを特徴とする請求項１に記載の方法。
【請求項８】
無線送受信ユニット（ＷＴＲＵ）を通信に対してユニバーサルモバイル通信システム（ＵＭＴＳ）地上無線アクセスネットワーク（ＵＴＲＡＮ）接続からｅｖｏｌｖｅｄ  ＵＴＲＡＮ接続に切り替える切り替え操作後に、前記ｅｖｏｌｖｅｄ  ＵＴＲＡＮ接続を管理する方法であって、前記方法は、
前記ＵＴＲＡＮ接続に関連付けられたターゲットシステムによって、前記ｅｖｏｌｖｅｄ  ＵＴＲＡＮ接続に戻す前記ＷＴＲＵのリダイレクションに対する前記切り替え操作の終了に関連付けられたインジケーションを受信するステップと、
前記受信したインジケーションに基づいて、前記ＵＴＲＡＮ接続に関連付けられた前記ターゲットシステムから前記ｅｖｏｌｖｅｄ  ＵＴＲＡＮ接続へのリダイレクションを制御するステップと
を備えたことを特徴とする方法。
【請求項９】
無線送受信ユニット（ＷＴＲＵ）のリダイレクションを管理する方法であって、前記方法は、
前記ＷＴＲＵに関連付けられたネットワークリソースまたは無線アクセスネットワークによって、切り替え操作の終了のインジケーションを受信するステップと、
前記切り替え操作の前記終了の前記受信したインジケーションに基づいて、ＬＴＥ接続への前記ＷＴＲＵのリダイレクションを管理するステップと
を備えたことを特徴とする方法。
【請求項１０】
前記ＬＴＥ接続への前記ＷＴＲＵの前記リダイレクションの前記管理するステップは、前記切り替え操作の前記終了の後に、以前確立されたＬＩＰＡ  ＰＤＡ接続を再開するステップを含むことを特徴とする請求項９に記載の方法。
【請求項１１】
前記ＬＴＥ接続への前記ＷＴＲＵの前記リダイレクションの前記管理するステップは、前記リダイレクションを管理し、前記ＷＴＲＵを回線交換ドメインからパケット交換ドメインに移動するステップを含むことを特徴とする請求項９に記載の方法。
【請求項１２】
前記ＬＴＥ接続への前記ＷＴＲＵの前記リダイレクションの前記管理するステップは、ユニバーサルモバイル通信システム（ＵＭＴＳ）地上無線アクセスネットワーク（ＵＴＲＡＮ）リソース、またはＧＳＭ  ＥＤＧＥ無線アクセスネットワーク（ＧＥＲＡＮ）リソースを管理し、前記ＷＴＲＵをｅｖｏｌｖｅｄ  ＵＴＲＡＮに移動するステップを含むことを特徴とする請求項９に記載の方法。
【請求項１３】
前記切り替え操作の前記終了の前記受信したインジケーションは、回線交換フォールバック（ＣＳＦＢ）操作の終了のインジケーションであることを特徴とする請求項９に記載の方法。
【請求項１４】
ローカルインターネットプロトコルアクセス（ＬＩＰＡ）パケットデータネットワーク（ＰＤＮ）接続を管理する装置であって、
回線交換フォールバック（ＣＳＦＢ）操作を実行し、無線送受信ユニット（ＷＴＲＵ）との通信に対し、前記ＬＩＰＡ  ＰＤＮ接続から非ＬＩＰＡ  ＰＤＮ接続に切り替え、
前記ＣＳＦＢ操作に応答して、前記ＬＩＰＡ  ＰＤＮ接続を一時停止し、
前記ＣＳＦＢ操作が終了したことを示すインジケータに応答して、前記ＷＴＲＵを、前記ＬＩＰＡ  ＰＤＮ接続に関連付けられたネットワークに戻してリダイレクトする
ように構成されたプロセッサを備えたことを特徴とする装置。
【請求項１５】
前記ＬＩＰＡ  ＰＤＮ接続の一時停止の後に、一時停止期間の満了を示すように構成された一時停止タイマーをさらに備え、前記プロセッサは、（１）前記一時停止期間の前記満了に応答して、前記一時停止したＬＩＰＡ  ＰＤＮ接続を再開するか、または無効化するかを判定し、（２）前記一時停止期間の前記満了後に、前記一時停止したＬＩＰＡ  ＰＤＮ接続を無効化するか、または再開するように構成されることを特徴とする請求項１４に記載の装置。
【請求項１６】
前記プロセッサは、
前記ＷＴＲＵとの任意のＰＤＮ接続が、判定結果として、非ＬＩＰＡ  ＰＤＮ接続であるかどうかを判定し、
前記判定結果に基づいて、前記ＬＩＰＡ  ＰＤＮ接続の無効化を防止する
ように構成されることを特徴とする請求項１４に記載の装置。
【請求項１７】
前記プロセッサは、
前記ＣＳＦＢ操作の起動中は前記ＬＩＰＡ  ＰＤＮ接続に関連付けられた１つまたは複数のＬＩＰＡベアラーを無効化しないが、前記１つまたは複数のＬＩＰＡベアラーを一時停止し、
前記ＣＳＦＢ操作が終了した後、前記１つまたは複数のＬＩＰＡベアラーを再開し、パケット交換（ＰＳ）サービスに対する前記ＬＩＰＡ  ＰＤＮ接続の再開を有効にする
ように構成されることを特徴とする請求項１４に記載の装置。
【請求項１８】
前記ＬＩＰＡ  ＰＤＮ接続の一時停止中に前記１つまたは複数のＬＩＰＡベアラーを介して送られたデータをバッファリングするように構成された記憶ユニットをさらに備えたことを特徴とする請求項１７に記載の装置。
【請求項１９】
無線送受信ユニット（ＷＴＲＵ）のリダイレクションを管理するように構成されたネットワークリソースであって、
回線交換フォールバック（ＣＳＦＢ）操作の終了のインジケーションを受信するように構成された送受信ユニットと、
前記ＣＳＦＢ操作の前記終了の前記受信されたインジケーションに基づいて、ＬＴＥ接続への前記ＷＴＲＵのリダイレクションを管理するように構成されたプロセッサと
を備えたことを特徴とするネットワークリソース。
【請求項２０】
前記ネットワークリソースは、無線アクセスネットワーク（ＲＡＮ）リソースを含み、および前記インジケーションは、移動通信交換局（ＭＳＣ）を介して受信されることを特徴とする請求項１９に記載のネットワークリソース。